(57)【要約】【課題】ユーザの状況と意図に沿ったガイド表示を行うことができる画像再生装置を提供する。【解決手段】接触検知操作部材である方向ボタン７３への接触があった場合、撮像装置１００は、現在、再生モードであるか否かを判断する（Ｓ２）。再生モードでなく、撮影モードであった場合、撮像装置１００は、ボタン操作に対するガイダンス表示を行う（Ｓ４）。撮像装置１００は、ガイダンス表示を行い、一定時間が経過すると、ガイダンスの表示を終了する（Ｓ７）。一定時間が経過しない間、ボタン操作があった場合、撮像装置１００は、ガイダンス表示を終了し（Ｓ９）、該当するボタン操作に応じた挙動を行う（Ｓ８）。一方、接触検知操作部材への接触があり、Ｓ２で再生モードであった場合、撮像装置１００は、ガイダンスの表示を行わず、ボタン操作の有無を判断する（Ｓ３）。【選択図】図３
2010187200.tif 000002
【特許請求の範囲】
【請求項１】
画像を再生する画像再生装置であって、
前記再生される画像を表示する表示手段と、
少なくとも１つの機能が割り当てられた操作部材と、
前記操作部材への接触を検知する検知手段と、
前記検知手段により前記操作部材への接触が検知された場合、当該接触を検知した時の動作状態が画像の再生であるか否かを判定する再生判定手段と、
前記再生判定手段によって画像の再生でないと判定された場合、前記接触を検知した時に前記操作部材に割り当てられた機能の情報を前記表示手段に表示するように制御し、前記再生判定手段によって画像の再生であると判定された場合、前記接触を検知した時に前記操作部材に割り当てられた機能の情報を前記表示手段に表示しないように制御する表示制御手段とを備えたことを特徴とする画像再生装置。
【請求項２】
前記再生される画像の種別を判別する種別判別手段と、
前記表示手段に今回表示された画像と前回表示された画像とを比較し、同じ種別であるか否かを判断する比較手段とを備え、
前記表示制御手段は、前記画像の再生時、前記比較手段が異なる画像種別であると判断した場合、前記操作部材に割り当てられた機能のガイダンスを前記表示手段に表示し、前記比較手段が同じ画像種別であると判断した場合、前記ガイダンスを前記表示手段に表示しないように制御することを特徴とする請求項１記載の画像再生装置。
【請求項３】
前記再生される画像の種別を判別する種別判別手段を備え、
前記表示制御手段は、前記画像の再生時、前記再生される画像が前記種別判別手段により静止画であると判別された場合、前記操作部材に割り当てられた機能のガイダンスを前記表示手段に表示しないように制御し、前記再生される画像が前記種別判別手段により動画であると判別された場合、前記ガイダンスを前記表示手段に表示するように制御することを特徴とする請求項１記載の画像再生装置。
【請求項４】
前記表示制御手段は、最初に前記画像の再生を行う再生モードを起動させた場合、一定時間、前記操作部材に割り当てられた機能のガイダンスを前記表示手段に表示することを特徴とする請求項１、２または３記載の画像再生装置。
【請求項５】
前記画像の再生を行う再生モードおよび撮影モードを有する撮像装置に搭載されたことを特徴とする請求項１乃至４のいずれかに記載の画像再生装置。
【請求項６】
再生される画像を表示する表示手段と、少なくとも１つの機能が割り当てられた操作部材と備えた画像再生装置の制御方法であって、
前記画像再生装置が、前記操作部材への接触を検知する検知ステップと、
前記画像再生装置が、前記検知ステップで前記操作部材への接触が検知された場合、当該接触を検知した時の動作状態が画像の再生であるか否かを判定する再生判定ステップと、
前記画像再生装置が、前記再生判定ステップで画像の再生でないと判定された場合、前記接触を検知した時に前記操作部材に割り当てられた機能の情報を前記表示手段に表示するように制御し、前記再生判定ステップで画像の再生であると判定された場合、前記接触を検知した時に前記操作部材に割り当てられた機能の情報を前記表示手段に表示しないように制御する表示制御ステップとを有することを特徴とする画像再生装置の制御方法。
【請求項７】
再生される画像を表示する表示手段と、少なくとも１つの機能が割り当てられた操作部材と備えた画像再生装置を制御する制御方法をコンピュータに実行させるプログラムにおいて、
前記制御方法は、
前記画像再生装置が、前記操作部材への接触を検知する検知ステップと、
前記画像再生装置が、前記検知ステップで前記操作部材への接触が検知された場合、当該接触を検知した時の動作状態が画像の再生であるか否かを判定する再生判定ステップと、
前記画像再生装置が、前記再生判定ステップで画像の再生でないと判定された場合、前記接触を検知した時に前記操作部材に割り当てられた機能の情報を前記表示手段に表示するように制御し、前記再生判定ステップで画像の再生であると判定された場合、前記接触を検知した時に前記操作部材に割り当てられた機能の情報を前記表示手段に表示しないように制御する表示制御ステップとを有することを特徴とするプログラム。
【請求項８】
請求項７記載のプログラムを格納することを特徴とするコンピュータで読み取り可能な記憶媒体。
【発明の詳細な説明】
【技術分野】
【０００１】
本発明は、画像を再生する画像再生装置、その制御方法、プログラムおよび記憶媒体に関する。
【背景技術】
【０００２】
近年、操作部材への接触を検知することにより、その操作部材を押下した場合に発動する機能のモチーフをガイダンスとして画面に表示する撮像装置が知られている。例えば、特許文献１に記載の撮像装置は、上下左右ボタンの上に搭載されているタッチセンサに触れた場合、上下左右それぞれに割り当てられている機能に対するガイダンス表示を行う。
【先行技術文献】
【特許文献】
【０００３】
【特許文献１】特開２００７−２２１３７１号公報
【発明の概要】
【発明が解決しようとする課題】
【０００４】
しかしながら、上記従来の画像再生装置では、撮影時においても画像再生時においても、一律にガイダンスが表示されていた。このため、つぎのような課題があった。
【０００５】
ユーザが左右ボタンで画像を送りつつ閲覧している場合、常に指が左右ボタンに触れるので、常にガイダンスが表示されることになる。この場合、既に操作を行っている左右ボタンに対するガイダンス表示は意味を成さず、ユーザとしては画像閲覧に集中したいにもかかわらず、ガイダンス表示により閲覧が阻害されていた。
【０００６】
そこで、本発明は、上記課題の認識を基礎としてなされたものであり、ユーザの状況と意図に沿ったガイド表示を行うことができる画像再生装置、その制御方法、プログラムおよび記憶媒体を提供することを目的とする。
【課題を解決するための手段】
【０００７】
上記目的を達成するために、本発明の画像再生装置は、画像を再生する画像再生装置であって、前記再生される画像を表示する表示手段と、少なくとも１つの機能が割り当てられた操作部材と、前記操作部材への接触を検知する検知手段と、前記検知手段により前記操作部材への接触が検知された場合、当該接触を検知した時の動作状態が画像の再生であるか否かを判定する再生判定手段と、前記再生判定手段によって画像の再生でないと判定された場合、前記接触を検知した時に前記操作部材に割り当てられた機能の情報を前記表示手段に表示するように制御し、前記再生判定手段によって画像の再生であると判定された場合、前記接触を検知した時に前記操作部材に割り当てられた機能の情報を前記表示手段に表示しないように制御する表示制御手段とを備えたことを特徴とする。
【０００８】
本発明の画像再生装置の制御方法は、再生される画像を表示する表示手段と、少なくとも１つの機能が割り当てられた操作部材と備えた画像再生装置の制御方法であって、前記画像再生装置が、前記操作部材への接触を検知する検知ステップと、前記画像再生装置が、前記検知ステップで前記操作部材への接触が検知された場合、当該接触を検知した時の動作状態が画像の再生であるか否かを判定する再生判定ステップと、前記画像再生装置が、前記再生判定ステップで画像の再生でないと判定された場合、前記接触を検知した時に前記操作部材に割り当てられた機能の情報を前記表示手段に表示するように制御し、前記再生判定ステップで画像の再生であると判定された場合、前記接触を検知した時に前記操作部材に割り当てられた機能の情報を前記表示手段に表示しないように制御する表示制御ステップとを有することを特徴とする。
【０００９】
本発明のプログラムは、再生される画像を表示する表示手段と、少なくとも１つの機能が割り当てられた操作部材と備えた画像再生装置を制御する制御方法をコンピュータに実行させるプログラムにおいて、前記制御方法は、前記画像再生装置が、前記操作部材への接触を検知する検知ステップと、前記画像再生装置が、前記検知ステップで前記操作部材への接触が検知された場合、当該接触を検知した時の動作状態が画像の再生であるか否かを判定する再生判定ステップと、前記画像再生装置が、前記再生判定ステップで画像の再生でないと判定された場合、前記接触を検知した時に前記操作部材に割り当てられた機能の情報を前記表示手段に表示するように制御し、前記再生判定ステップで画像の再生であると判定された場合、前記接触を検知した時に前記操作部材に割り当てられた機能の情報を前記表示手段に表示しないように制御する表示制御ステップとを有することを特徴とする。
【発明の効果】
【００１０】
本発明によれば、ユーザの画像閲覧を阻害することなく、ユーザは画像閲覧に集中することができ、ユーザの状況と意図に沿ったガイド表示を行うことができる。
【図面の簡単な説明】
【００１１】
【図１】第１の実施形態におけるデジタルカメラの外観を示す図である。
【図２】デジタルカメラ１００のハードウェア構成を示すブロック図である。
【図３】デジタルカメラの通常動作手順を示すフローチャートである。
【図４】画像表示部２８の表示画面を示す図である。
【図５】画像表示部２８の各種の画面を示す図である。
【図６】ステップＳ８におけるボタン操作の挙動の手順を示すフローチャートである。
【図７】図６につづくステップＳ８におけるボタン操作の挙動の手順を示すフローチャートである。
【図８】図６および図７につづくステップＳ８におけるボタン操作の挙動の手順を示すフローチャートである。
【図９】図６、図７および図８につづくステップＳ８におけるボタン操作の挙動の手順を示すフローチャートである。
【図１０】第２の実施形態におけるデジタルカメラの起動時動作手順を示すフローチャートである。
【発明を実施するための形態】
【００１２】
本発明の画像再生装置、その制御方法、プログラムおよび記憶媒体の実施の形態について図面を参照しながら説明する。本実施形態の画像再生装置は撮像装置であるデジタルカメラに適用される。
【００１３】
［第１の実施形態］
図１は第１の実施形態におけるデジタルカメラの外観を示す図である。デジタルカメラ１００の背面には、画像表示部２８、モードダイヤルスイッチ６０および操作部７０が配置されている。また、デジタルカメラ１００の上面には、シャッタボタン６１および電源ボタン７２が配置されている。また、デジタルカメラ１００の側面には、コネクタ１１２が設けられている。また、デジタルカメラ１００の底面には、記録媒体スロット２０１が設けられている。
【００１４】
画像表示部２８は画像や各種情報を表示する表示部である。シャッタボタン６１は撮影指示を行うための操作部である。モードダイヤルスイッチ６０は各種モードを切り替えるための操作部である。コネクタ１１２は接続ケーブル１１１とデジタルカメラ１００とを繋ぐためのコネクタである。
【００１５】
操作部７０は、ユーザからの各種操作を受け付ける各種スイッチ、ボタン、タッチパネル等の操作部材からなる。操作部７０には方向ボタン（十字ボタン）７３が含まれる。方向ボタン７３には、上ボタン、下ボタン、左ボタン、右ボタンが設けられている。また、方向ボタン７３には、ボタンへの接触を検知可能な感圧センサが搭載されており、ユーザが指をボタンに接触させた時点で、ボタン押下前にその接触を検知することができる。
【００１６】
記録媒体スロット２０１は、記録媒体２００を格納するためのスロットである。記録媒体２００はメモリカードやハードディスク等の記録媒体である。記録媒体スロット２０１に格納された記録媒体２００は、デジタルカメラ１００と通信可能になる。蓋２０３は記録媒体スロット２０１の蓋である。
【００１７】
図２はデジタルカメラ１００のハードウェア構成を示すブロック図である。デジタルカメラ１００には、撮影レンズ１０、絞り機能を備えるシャッタ１２、光学像を電気信号に変換する撮像素子１４、および撮像素子１４のアナログ信号出力をデジタル信号に変換するＡ／Ｄ変換器１６が設けられている。
【００１８】
また、撮像素子１４、 Ａ／Ｄ変換器１６およびＤ／Ａ変換器２６にクロック信号や制御信号を供給するタイミング発生回路１８が設けられている。タイミング発生回路１８は、メモリ制御回路２２およびシステム制御回路５０により制御される。
【００１９】
画像処理回路２０は、 Ａ／Ｄ変換器１６からのデータ、あるいはメモリ制御回路２２からのデータに対し、所定の画素補間処理や色変換処理を行う。また、画像処理回路２０は、撮像した画像データを用いて所定の演算処理を行う。システム制御回路５０は、画像処理回路２０で得られた演算結果に基づいて制御を行い、ＡＦ（オートフォーカス）処理、ＡＥ（自動露出）処理、ＥＦ（フラッシュプリ発光）処理を行う。
【００２０】
さらに、画像処理回路２０は、撮像した画像データを用いて所定の演算処理を行い、得られた演算結果に基づいてＴＴＬ方式のＡＷＢ（オートホワイトバランス）処理も行う。
【００２１】
メモリ制御回路２２は、Ａ／Ｄ変換器１６、タイミング発生回路１８、画像処理回路２０、画像表示メモリ２４、Ｄ／Ａ変換器２６、メモリ３０および圧縮・伸長回路３２を制御する。Ａ／Ｄ変換器１６のデータは、画像処理回路２０およびメモリ制御回路２２を介して、あるいはメモリ制御回路２２を介して、直接に画像表示メモリ２４あるいはメモリ３０に書き込まれる。
【００２２】
また、デジタルカメラ１００には、画像表示メモリ２４、Ｄ／Ａ変換器２６、およびＤ／Ａ変換器２６の出力を外部モニタに出力する外部出力コネクタ２７が設けられている。外部出力コネクタ２７にコネクタが挿されている場合、システム制御回路５０は、外部出力接続検知部１０８により外部の出力状態を知る。
【００２３】
画像表示部２８は、ＴＦＴ＿ＬＣＤ等からなる。画像表示メモリ２４に書き込まれた表示用の画像データは、Ｄ／Ａ変換器２６を介して画像表示部２８により表示される。また、画像表示部２８を用いて撮像した画像データを逐次表示することで、電子ファインダ機能を実現することが可能である。
【００２４】
また、画像表示部２８は、システム制御回路５０の指示により任意に表示をＯＮ／ＯＦＦすることが可能である。表示をＯＦＦにした場合、デジタルカメラ１００の電力消費を大幅に低減することができる。
【００２５】
さらに、画像表示部２８は、回転可能なヒンジ部によってデジタルカメラ１００本体と結合されている。画像表示部２８の向きや角度を任意に設定し、電子ファインダ機能や再生表示機能など、各種表示機能を使用することが可能である。
【００２６】
また、画像表示部２８の表示部分をデジタルカメラ１００に向けて格納することが可能である。この場合、画像表示部開閉検知部１０６により、格納状態を検知して画像表示部２８の表示動作を停止することができる。
【００２７】
メモリ３０は、撮影した静止画像や動画像を格納するためのものであり、所定枚数の静止画像や所定時間の動画像を格納するために十分な記憶量を備えている。これにより、複数枚の静止画像を連続して撮影する連射撮影やパノラマ撮影の場合にも、高速かつ大量の画像書き込みをメモリ３０に対して行うことが可能となる。
【００２８】
また、メモリ３０は、システム制御回路５０の作業領域としても使用することが可能である。メモリ３０は、記録媒体２００、２１０の書き込みバッファとしても使われる。圧縮・伸長回路３２は、適応離散コサイン変換（ＡＤＣＴ）等により画像データを圧縮・伸長するものであり、メモリ３０に格納された画像を読み込んで圧縮処理あるいは伸長処理を行い、処理を終えたデータをメモリ３０に書き込む。
【００２９】
露光制御部４０は、絞り機能を備えるシャッタ１２を制御するものであり、フラッシュ４８と連携することによりフラッシュ調光機能も有する。測距制御部４２は撮影レンズ１０のフォーカシングを制御する。ズーム制御部４４は撮影レンズ１０のズーミングを制御する。バリア制御部４６はバリアである保護部１０２の動作を制御する。フラッシュ４８は、ＡＦ補助光の投光機能およびフラッシュ調光機能も有する。
【００３０】
露光制御部４０および測距制御部４２はＴＴＬ方式を用いて制御される。システム制御回路５０は、撮像した画像データを画像処理回路２０によって演算した演算結果に基づき、露光制御部４０および測距制御部４２に対する制御を行う。
【００３１】
システム制御回路５０は、デジタルカメラ１００全体を制御するものである。システム制御回路５０は、不揮発性メモリ５６に記録されたプログラムを実行することで、後述する各実施形態の処理を行う。
【００３２】
メモリ５２は、システム制御回路５０の動作用の定数、変数を記憶し、不揮発性メモリ５６から読み出したプログラム等を展開する際に使用される。表示部５４は、液晶表示装置、スピーカ等の表示部であり、システム制御回路５０におけるプログラムの実行に応じて、文字、画像、音声等を用いて動作状態やメッセージ等を表示する。
【００３３】
表示部５４は、デジタルカメラ１００の操作部近辺の視認し易い位置に、単数あるいは複数個所設置され、例えばＬＣＤやＬＥＤ、発音素子等の組み合わせにより構成されている。また、表示部５４は、その一部の機能が光学ファインダ１０４内に設置されている。
【００３４】
表示部５４の表示内容のうち、ＬＣＤ等に表示するものとしては、絞り値表示、露出補正表示、フラッシュ表示、マクロ撮影表示、ブザー設定表示、電池残量表示、エラー表示、記録媒体２００、２１０の着脱状態表示等がある。また、表示部５４の表示内容のうち、光学ファインダ１０４内に表示するものとしては、合焦表示、手振れ警告表示、フラッシュ充電表示、シャッタスピード表示、絞り値表示、露出補正表示等がある。
【００３５】
不揮発性メモリ５６は、電気的に消去・記録可能なメモリである。不揮発性メモリとして、例えばＥＥＰＲＯＭ等が用いられる。不揮発性メモリ５６には、システム制御回路５０の動作用の定数、プログラム等が記憶される。ここで、プログラムとは、後述する各実施形態における各種のフローチャートを実行するためのプログラムのことを指す。
【００３６】
タイマ５８は、記録媒体２００、２１０のデータ記録速度や、取得するデータのデータレートを測定するために使われる。
【００３７】
モードダイヤルスイッチ６０、シャッタスイッチ６２、６４、画像表示ＯＮ／ＯＦＦスイッチ６６、クイックレビューＯＮ／ＯＦＦスイッチ６８および操作部７０は、システム制御回路５０の各種の動作指示を入力するための操作部である。これらは、スイッチ、ダイヤル、タッチパネル、視線検知によるポインティング、音声認識装置等の単数あるいは複数の組み合わせで構成される。
【００３８】
これらの操作部について、具体的な説明を行う。モードダイヤルスイッチ６０は、電源オフ、自動撮影モード、撮影モード（パノラマ撮影モード、動画撮影モード含む）、再生モード、マルチ画面再生・消去モード、ＰＣ接続モード等の各機能モードを切り替えて設定する。
【００３９】
シャッタスイッチ（ＳＷ１）６２は、シャッタボタン６１の操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。シャッタスイッチ（ＳＷ２）６４は、シャッタボタン６１の操作完了でＯＮとなり、撮像素子１４から読み出した信号を、Ａ／Ｄ変換器１６およびメモリ制御回路２２を介してメモリ３０に画像データを書き込む露光処理の動作開始を指示する。これと同時に、画像処理回路２０やメモリ制御回路２２での演算を用いた現像処理や、メモリ３０から画像データを読み出し、圧縮・伸長回路３２で圧縮を行い、記録媒体２００、２１０に画像データを書き込む記録処理からなる一連の処理の動作開始が指示される。また、動画撮影の場合、シャッタスイッチ（ＳＷ２）６４は、動画撮影の開始・停止を指示する。
【００４０】
画像表示ＯＮ／ＯＦＦスイッチ６６は、画像表示部２８のＯＮ／ＯＦＦを設定する。この機能により、光学ファインダ１０４を用いて撮影を行う際、ＴＦＴ＿ＬＣＤ等からなる画像表示部への電流供給を遮断することにより、省電力を図ることが可能となる。
【００４１】
クイックレビューＯＮ／ＯＦＦスイッチ６８は、撮影直後に撮影した画像データを自動的に再生するクイックレビュー機能を設定する。なお、本実施形態では、特に、撮像装置１００は、画像表示部２８をＯＦＦとした場合におけるクイックレビュー機能を設定する機能を備える。
【００４２】
操作部７０は各種ボタンやタッチパネル等からなる。具体的に、操作部７０には、メニューボタン、セットボタン、マクロボタン、フラッシュ設定ボタン、単写／連写／セルフタイマ切り替えボタン、ＩＳＯ感度切り替えボタン、メニュー移動＋（プラス）ボタンおよびメニュー移動−（マイナス）ボタンが設けられる。また、各種機能の選択／切り替えを設定する選択／切り替えボタン、各種機能の決定および実行を設定する決定ボタン、画像表示部２８のＯＮ／ＯＦＦを設定する表示ボタン、および方向ボタン７３に含まれる上ボタン、下ボタン、左ボタン、右ボタンが設けられる。
【００４３】
なお、これら各操作ボタンには、ボタンへの接触を検知可能な感圧センサが搭載されており、ユーザが指をボタンに接触させた時点で、ボタン押下前にその接触を検知することができる。この感圧センサによる接触検知に応じて、後述する各種ガイダンス表示が行われる。本実施形態では、検知手段は、感圧センサであるとしたが、ボタン押下前にボタンに接触した、あるいは接触しそうになったことを検知可能な接触検知部であればよく、センサの方式は感圧センサでなくてもよい。
【００４４】
また、操作部７０には、撮影時にズームと広角を調節する、あるいは再生時に拡大／縮小を調節する、１画面表示／マルチ画面表示を切り替えるズーム操作部が設けられる。
【００４５】
電源制御部８０は、電池の装着の有無、電池の種類および電池残量の検出を行い、これらの検出結果およびシステム制御回路５０の指示に基づいて、必要な電圧を必要な期間、記録媒体を含む各部に供給する。電源制御部８０には、コネクタ８２、８４を介して電源８６が接続されている。電源８６は、アルカリ電池やリチウム電池等の一次電池、ＮｉＣｄ電池、ＮｉＭＨ電池、Ｌｉ電池等の二次電池、ＡＣアダプタ等からなる。
【００４６】
インターフェース９０、９４には、メモリカードやハードディスク等の記録媒体が接続される。コネクタ９２、９６は、メモリカードやハードディスク等の記録媒体と接続される。
【００４７】
記録媒体着脱検知部９８は、コネクタ９２、９６にそれぞれ記録媒体２００、２１０が装着されているか否かを検知する。
【００４８】
なお、本実施形態では、記録媒体を取り付けるインターフェースおよびコネクタが２系統設けられている。勿論、記録媒体を取り付けるインターフェースおよびコネクタは、単数あるいは複数、いずれの系統数を備えても構わない。また、異なる規格のインターフェースおよびコネクタを組み合わせても構わない。インターフェースおよびコネクタとしては、ＰＣＭＣＩＡカードやＣＦ（コンパクトフラッシュ（登録商標））カード等の規格に準拠したものを用いてもよい。
【００４９】
さらに、インターフェース９０、９４およびコネクタ９２、９６に、各種通信カードを接続することにより、他機器との間で画像データや画像データに付属した管理情報を相互に転送することが可能である。
【００５０】
保護部１０２は、デジタルカメラ１００の撮影レンズ１０を含む撮像部を覆うことにより、撮像部の汚れや破損を防止するバリアである。光学ファインダ１０４は、画像表示部２８による電子ファインダ機能を使用すること無く、光学ファインダのみを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、露出補正表示などが設置されている。
【００５１】
画像表示部開閉検知部１０６は、画像表示部２８がその表示部分をデジタルカメラ１００に向けて格納した格納状態にあるか否かを検知する。ここで、格納状態にあると検知した場合、画像表示部２８の表示動作を停止し、不要な電力消費を禁止することが可能である。
【００５２】
外部出力接続検知部１０８は、外部出力コネクタ２７に外部モニタが接続されているか否かを検知する。ここで、接続状態にあると検知された場合、画像表示部２８の代わりに、外部モニタを表示装置として用いることが可能である。
【００５３】
通信部１１０は、ＲＳ２３２Ｃ、ＵＳＢ、ＩＥＥＥ１３９４、Ｐ１２８４、ＳＣＳＩ、モデム、ＬＡＮ、無線通信等の各種通信機能を有する。コネクタ１１２は、通信部１１０によりデジタルカメラ１００を他の機器と接続する。なお、無線通信の場合、コネクタの代わりにアンテナが用いられる。
【００５４】
マイク１１４は音声データ取得部である。Ａ／Ｄ変換器１１６は、マイク１１４で得られた音声データをシステム制御回路５０で取得するために、アナログデジタル（Ａ／Ｄ）変換を行う。スピーカ１１８は音声データ再生部である。Ｄ／Ａ変換器１２０は、システム制御回路５０から出力されるデジタル音声データをスピーカ１１８で再生するために、デジタルアナログ（Ｄ／Ａ）変換を行う。
【００５５】
記録媒体２００はメモリカードやハードディスク等からなる。記録媒体２００は、半導体メモリや磁気ディスク等から構成される記録部２０２、デジタルカメラ１００とのインターフェース２０４、およびデジタルカメラ１００と接続を行うコネクタ２０６を備える。また、この記録媒体２００がＰＣＭＣＩＡ規格のＰＣ−ＣａｒｄやＣｏｍｐａｃｔＦｌａｓｈ（登録商標）等である場合、性能が記されている情報記憶回路が内蔵されていることもある。
【００５６】
記録媒体２１０はメモリカードやハードディスク等からなる。記録媒体２１０は、半導体メモリや磁気ディスク等から構成される記録部２１２、デジタルカメラ１００とのインターフェース２１４、およびデジタルカメラ１００と接続を行うコネクタ２１６を備える。また、この記録媒体２１０がＰＣＭＣＩＡ規格のＰＣ−ＣａｒｄやＣｏｍｐａｃｔＦｌａｓｈ（登録商標）等である場合、性能が記されている情報記憶回路が内蔵されていることもある。
【００５７】
図３はデジタルカメラの通常動作手順を示すフローチャートである。この制御プログラムは不揮発性メモリ５６に格納されており、システム制御回路５０内のＣＰＵによって実行される。前述したように、本実施形態では、接触検知操作部材である方向ボタン（十字ボタン）７３には、接触を検知する手段として、ボタンへの接触を検知可能な感圧センサが搭載されている。
【００５８】
撮像装置（デジタルカメラ）１００は、ユーザによる接触検知操作部材への接触があったか否かを判定する（ステップＳ１）。接触がなかったと判定された場合、撮像装置１００は、操作部材への操作（ボタン操作）があったか否かを判断する（ステップＳ３）。
【００５９】
操作部材への操作（ボタン操作）があった場合、撮像装置１００は、ボタン操作に応じた挙動を行う（ステップＳ８）。ステップＳ８の処理の詳細については後述する。この後、撮像装置１００はステップＳ１の処理に戻る。
【００６０】
一方、ステップＳ３で操作部材への操作（ボタン操作）がない場合、撮像装置１００はステップＳ１の処理に戻り、再度、接触検知操作部材（方向ボタン７３）への接触の有無を判定する。ステップＳ１で接触検知操作部材への接触があったと判定された場合、撮像装置１００は、現在、再生モードであるか否かを判断する（ステップＳ２）。このステップＳ２の処理は再生判定手段の一例である。
【００６１】
再生モードでなかった場合、例えば撮影モードであった場合、撮像装置１００は、ボタン操作に対するガイダンス表示（図４参照）を行う（ステップＳ４）。図４は画像表示部２８の表示画面を示す図である。図４（Ａ）の画面には、ライブビュー画像が表示されている。また、画像表示部２８の画面内側の周囲には、種々のアイコンが表示されている。さらに、方向ボタン７３のガイダンス２８ａとして、撮影モード、セルフタイマ、ストロボ機能および情報表示が表示されている。
【００６２】
この後、撮像装置１００は、ガイダンス表示を行ってから、一定時間が経過したか否かを判別する（ステップＳ５）。一定時間が経過した場合、撮像装置１００は、ガイダンスの表示を終了し（ステップＳ７）、ステップＳ１の処理に戻る。なお、システム制御回路５０内のＣＰＵによって実行されるステップＳ４の処理、ステップＳ２でＹＥＳの場合のガイダンスを表示しない処理、後述するステップＳ３５、Ｓ３６の処理、ステップＳ４２、Ｓ４３の処理等は、表示制御手段の一例である。
【００６３】
一方、ステップＳ５で一定時間が経過しない場合、撮像装置１００は、ボタン操作があったか否かを判断する（ステップＳ６）。ボタン操作がなかった場合、撮像装置１００は、ステップＳ５の処理に戻る。一方、ボタン操作があったと判断された場合、撮像装置１００は、ガイダンス表示を終了し（ステップＳ９）、ステップＳ８で該当するボタン操作に応じた挙動を行う。この後、撮像装置１００は、ステップＳ１の処理に戻る。
【００６４】
また一方、接触検知操作部材への接触があり、ステップＳ２で再生モードであると判断された場合、撮像装置１００は、ガイダンス表示を行わず、ステップＳ３でボタン操作の有無を判断する。このように、本実施形態では、撮像装置が、再生モードにある場合、図４（Ｂ）に示すように、接触検知操作部材への接触時にも操作ガイド（ガイダンス）を表示しない。
【００６５】
ここで、再生モードにおいて、再生するコンテンツが動画像の場合、静止画像に比べ、再生、停止、早送り、巻き戻し等の、静止画像では無かったオペレーション（操作）が必要となる。このような場合、再生モードであっても、撮像装置１００は、画像表示部２８に、動画オペレーションパネル（図５（Ｃ）参照）を表示させる。図５は画像表示部２８の各種の画面を示す図である。撮像装置１００は、一定条件の下、方向ボタン７３のガイダンス２８ｃを表示し（図５（Ｂ）参照）、その上ボタンの位置に動画オペレーションパネル起動を表すアイコン２８ｄを割り当てる。
【００６６】
具体的に、撮像装置１００は、前述したステップＳ２、Ｓ３において、再生モードでかつボタン操作があるか否かを判別する。その結果、ボタン操作があった場合、ステップＳ８において、再生画像を次に進める、あるいは前に戻すオペレーションが行われる。
【００６７】
ステップＳ８におけるボタン操作に応じた挙動では、次に表示された画像が動画像に切り替わった場合、これまでとオペレーションが異なるので、図５（Ｂ）に示す操作ガイド２８ｃを一定時間表示する。この操作ガイドでは、上ボタンの位置に、動画オペレーション起動を表すアイコン２８ｄが表示されている。同様に、次に表示された画像が静止画像に切り替わった場合、これまでとオペレーションが異なるので、図５（Ａ）に示す操作ガイド２８ｂを一定時間表示する。従って、動画像と静止画像が切り替わる毎に、図５（Ａ）と図５（Ｂ）の画面表示が切り替わる。
【００６８】
このように、撮像装置１００は、通常の画像閲覧（再生）時、接触検知操作部材に対する接触による操作ガイドを表示しないが、表示される画像の種類（種別）が切り替わり、それに伴い操作オペレーションも切り替わる場合、操作ガイドを表示させる。従って、ユーザにオペレーション（操作）の切り替わりを知らせることができる。
【００６９】
図６、図７、図８および図９はステップＳ８におけるボタン操作の挙動の手順を示すフローチャートである。撮像装置１００は、現在のモードが撮影モードであるか否かを判別する（ステップＳ１０）。撮影モードである場合、撮像装置１００は操作部７０の中からＩＳＯボタンが押下されたか否かを判別する（ステップＳ１１）。
【００７０】
ＩＳＯボタンが押下された場合、撮像装置１００は、ＩＳＯ感度の切り替えを行う（ステップＳ１２）。この後、撮像装置１００は元の処理に復帰する。一方、ＩＳＯボタンが押下されていない場合、撮像装置１００は、方向ボタン７３の上ボタンが押下されたか否かを判別する（ステップＳ１３）。上ボタンが押下された場合、撮像装置１００は、セルフタイマの切り替えを行う（ステップＳ１４）。この後、撮像装置１００は元の処理に復帰する。
【００７１】
一方、上ボタンが押下されていない場合、撮像装置１００は、右ボタンが押下されたか否かを判別する（ステップＳ１５）。右ボタンが押下された場合、撮像装置１００は、ストロボ設定の切り替えを行う（ステップＳ１６）。この後、撮像装置１００は元の処理に復帰する。
【００７２】
一方、右ボタンが押下されていない場合、撮像装置１００は、左ボタンが押下されたか否かを判別する（ステップＳ１７）。左ボタンが押下された場合、撮像装置１００は、マクロの切り替えを行う（ステップＳ１８）。この後、撮像装置１００は元の処理に復帰する。
【００７３】
一方、左ボタンが押下されていない場合、撮像装置１００は、下ボタンが押下されたか否かを判別する（ステップＳ１９）。下ボタンが押下された場合、撮像装置１００は、画像表示部２８に表示されている様々な情報の表示形態（情報表示）を切り替える（ステップＳ２０）。この後、撮像装置１００は元の処理に復帰する。
【００７４】
一方、下ボタンが押下されていない場合、撮像装置１００は、メニューボタン（Ｍｅｎｕボタン）が押下されたか否かを判別する（ステップＳ２１）。メニューボタン（Ｍｅｎｕボタン）が押下された場合、撮像装置１００は、デジタルカメラ１００の様々な設定を行うための設定画面に遷移し、再度、メニューボタンを押下することにより元の状態に戻る（ステップＳ２２）。この後、撮像装置１００は元の処理に復帰する。
【００７５】
一方、メニューボタンが押下されていない場合、撮像装置１００は、セットボタン（Ｓｅｔボタン）が押下されたか否かを判別する（ステップＳ２３）。セットボタン（Ｓｅｔボタン）が押下された場合、撮像装置１００は、何も動作を行わない（ステップＳ２４）。この後、撮像装置１００は元の処理に復帰する。
【００７６】
一方、セットボタン（Ｓｅｔボタン）が押下されていない場合、撮像装置１００は、シャッタボタンが押下されたか否かを判別する（ステップＳ２５）。シャッタボタンが押下された場合、撮像装置１００は、現時点の設定で撮影を行う（ステップＳ２６）。この後、撮像装置１００は元の処理に復帰する。
【００７７】
一方、シャッタボタンが押下されていない場合、撮像装置１００は、モードダイヤルスイッチ６０が操作されたか否かを判別する（ステップＳ２７）。モードダイヤルスイッチ６０が操作された場合、撮像装置１００は、撮影モードを変更する（ステップＳ２８）。この後、撮像装置１００は元の処理に復帰する。
【００７８】
一方、モードダイヤルスイッチ６０が操作されていない場合、撮像装置１００は、ズームレバーが操作されたか否かを判別する（ステップＳ２９）。ズームレバーが操作された場合、撮像装置１００は、画角を切り替える（ステップＳ３０）。この後、撮像装置１００は元の処理に復帰する。
【００７９】
一方、ズームレバーが操作されていない場合、撮像装置１００は、電源ボタン７２が押下されたか否かを判別する（ステップＳ３１）。電源ボタン７２が押下された場合、撮像装置１００は、全ての処理を終了し、電源をＯＦＦにする（ステップＳ３２）。そして、撮像装置１００は本処理を終了する。
【００８０】
また一方、ステップＳ１０で撮影モードでない場合、撮像装置１００は、現在のモードが再生モードであるか否かを判別する（ステップＳ３３）。再生モードでない場合、撮像装置１００は、その他の処理を行い（ステップＳ４７）、元の処理に復帰する。一方、再生モードであった場合、撮像装置１００は、上ボタンが押下されたか否かを判別する（ステップＳ３４）。上ボタンが押下された場合、撮像装置１００は、現在表示している画像が動画ファイルであるか否かを判別する（ステップＳ３５）。このステップＳ３５の処理は請求項３に記載の種別判別手段の一例である。
【００８１】
動画ファイルである場合、撮像装置１００は、画像表示部２８に動画用パネル（図５（Ｃ）参照）を表示する（ステップＳ３６）。この動画用パネル（動画オペレーションパネル）には、再生対象となっている動画ファイルの再生に関する指示を行うための複数の操作アイコンが表示されている。オペレータは、操作部７０を操作していずれかの操作アイコンを指定することにより、各種指示を行うことができる。
【００８２】
そして、撮像装置１００は、動画用パネル操作に応じた処理、つまり、動画用パネルに含まれるいずれかの操作アイコンの指定による各種処理を行う（ステップＳ３７）。ここで行える処理としては、再生対象である動画ファイルの動画再生開始、再生中動画の停止、動画コマ送り、動画頭だし、動画スロー再生等がある。また、動画用パネルに含まれる終了アイコンがユーザによって操作されると、撮像装置１００は、動画用パネルの表示を終了し、次のステップ処理に進む。この後、撮像装置１００は元の処理に復帰する。一方、ステップＳ３５で動画ファイルでない場合、撮像装置１００はそのまま元の処理に復帰する。
【００８３】
一方、ステップＳ３４で上ボタンが押下されていない場合、撮像装置１００は、下ボタンが押下されたか否かを判別する（ステップＳ３８）。下ボタンが押下された場合、撮像装置１００は、情報表示に画面を切り替える（ステップＳ３９）。この後、撮像装置１００は元の処理に復帰する。
【００８４】
一方、下ボタンが押下されていない場合、撮像装置１００は、右ボタンが押下されたか否かを判別する（ステップＳ４０）。右ボタンの押下は画像送りの操作である。すなわち、右ボタンが押下された場合、撮像装置１００は、次のファイル番号の画像を記録媒体２００から読み出し、画像の種別を判別するとともに、読み出した画像を画像表示部２８に表示する（ステップＳ４１）。このステップＳ４１の処理は請求項２に記載の種別判別手段の一例である。
【００８５】
撮像装置１００は、今回表示した画像とそれより前に（前回）表示していた画像との画像種別が異なるか否かを判断する（ステップＳ４２）。画像種別が異なる場合、撮像装置１００は、所定時間（一定時間）、ボタンガイダンスを表示する（ステップＳ４３）。例えば、表示した画像が静止画で、前回表示していた画像が静止画でなかった場合、図５（Ａ）に示す再生画像が表示される。また、表示した画像が動画で、前回表示していた画像が動画でなかった場合、図５（Ｂ）に示す再生画像が表示される。
【００８６】
そして、ステップＳ４３でボタンガイダンスを所定時間表示した後、撮像装置１００は元の処理に復帰する。ここで、図５（Ｂ）の再生画像に重ねて表示されたガイダンス２８ｃに従って、前述したステップＳ３４で、動画再生用のアイコン２８ｄを表す、方向ボタン７３の上ボタンが押下されると、図５（Ｃ）に示す動画用パネルが表示される。一方、ステップＳ４２で画像種別が同じである場合、撮像装置１００はそのまま元の処理に復帰する。
【００８７】
一方、ステップＳ４０で右ボタンが押下されていない場合、撮像装置１００は、左ボタンが押下されたか否かを判別する（ステップＳ４４）。左ボタンの押下は画像送りの操作である。すなわち、左ボタンが押下された場合、撮像装置１００は、前のファイル番号の画像を記録媒体２００から読み出し、画像表示部２８に表示する（ステップＳ４５）。この後、撮像装置１００は、ステップＳ４２の処理に移行し、右ボタンが押下された場合と同様の処理を行う。
【００８８】
一方、ステップＳ４４で左ボタンが押下されていない場合、撮像装置１００は、その他のボタン操作に応じた処理を行う（ステップＳ４６）。この後、撮像装置１００はそのまま元の処理に復帰する。
【００８９】
このように、第１の実施形態の撮像装置は、接触検知操作部材にユーザの指が接触した場合、撮像装置の状態に応じて操作ガイド（ガイダンス）の表示を変更する。すなわち、撮像装置は、撮影モードにある場合、操作ガイドを常に表示し、再生モードにある場合、基本的に操作ガイドを表示せず、一定の条件の下に、操作ガイドを表示する。これにより、ユーザの画像閲覧を阻害することなく、ユーザは画像閲覧に集中することができ、ユーザの状況と意図に沿ったガイド表示を行うことができる。
【００９０】
また、今回と前回表示された画像を比較し、再生される画像の種別が切り替わり、それに伴い操作も切り替わる場合にだけ、ガイダンスを表示してユーザに操作の切り替わりを知らせることができる。
【００９１】
また、動画と判別された場合にガイダンスを表示するので、静止画像では無かった操作、例えば、再生、停止、早送り、巻き戻し等の機能のガイダンスを表示することができ、動画に必要な操作をユーザに知らせることができる。
【００９２】
また、撮像装置では、通常撮影時、撮影機能のガイダンスを表示することにより機能の内容を知ることができると共に、画像再生時、画像送りの操作で画像閲覧行為を妨げられることなく、操作を行うことができる。
【００９３】
［第２の実施形態］
第２の実施形態の撮像装置であるデジタルカメラのハードウェア構成は、前記第１の実施形態と同一であるので、その説明を省略する。前記第１の実施形態では、撮像装置が通常起動している間の操作について説明した。第２の実施形態では、第１の実施形態の通常の動作に加え、画像再生モードで操作ガイドを表示しないことを補うため、最初に画像再生モードを起動させた場合、撮像装置は、一定時間、操作ガイドを表示するようにした。
【００９４】
図１０は第２の実施形態におけるデジタルカメラの起動時動作手順を示すフローチャートである。この制御プログラムは不揮発性メモリ５６に格納されており、システム制御回路５０内のＣＰＵによって実行される。
【００９５】
デジタルカメラ１００は、電源投入によって起動すると（ステップＳ５１）、現在のモードが再生モードであるのか、それともそれ以外のモード、例えば撮影モードであるのかを判別する（ステップＳ５２）。それ以外のモードとして、撮影モードの他、各種動作の設定を行う動作設定モードなどが挙げられる。再生モードでなかった場合、デジタルカメラ１００は、通常オペレーション（通常操作）の処理を行う（ステップＳ５７）。この通常オペレーションの処理後、デジタルカメラ１００は、本処理を終了し、前記第１の実施形態の図３で示した通常動作の処理を開始する。
【００９６】
一方、ステップＳ５２で再生モードであると判別された場合、デジタルカメラ１００は操作ガイド（ボタンガイダンス）を表示する（ステップＳ５３）。このとき、画像表示部２８には、例えば図５（Ａ）に示す再生画像が表示される。その後、デジタルカメラ１００は、一定時間の経過を待つ（ステップＳ５４）。一定時間が経過した場合、デジタルカメラ１００は、操作ガイドの表示を終了する（ステップＳ５６）。そして、デジタルカメラ１００は、ステップＳ５７の処理に進む。
【００９７】
一方、ステップＳ５４で一定時間が経過しない場合、デジタルカメラ１００は、ボタン操作の有無を判別する（ステップＳ５５）。ボタン操作が無いと判別された場合、デジタルカメラ１００は、ステップＳ５４の処理に戻る。一方、ボタン操作があったと判別された場合、デジタルカメラ１００は、ステップＳ５６、Ｓ５７の処理を行い、前記第１の実施形態の図３で示した処理に移行する。
【００９８】
このように、第２の実施形態の撮像装置によれば、電源起動時、再生モードで起動した場合、操作ガイドを一定時間表示することにより、画像再生モードでの通常動作時に操作ガイドを表示しない状態を補うことが可能となる。
【００９９】
なお、電源投入時のみではなく、撮影モードから再生モードへ最初に遷移した場合も、デジタルカメラ１００は、ステップＳ５２以降の処理を行い、同様に、操作ガイドを一定時間表示するようにしてもよい。同様に、画像再生モードにおける通常動作時、操作ガイドを表示しない状態を補うことができる。
【０１００】
なお、本発明は、上記実施形態の構成に限られるものではなく、特許請求の範囲で示した機能、または本実施形態の構成が持つ機能が達成できる構成であればどのようなものであっても適用可能である。
【０１０１】
例えば、この撮影関連の通常動作に対する処理や機能は、本実施形態に挙げた限りではなく、また、操作部材に対する機能の配置や操作方法も本実施形態に限定されない。接触検知操作部材としては、方向ボタン（十字ボタン）に限らず、少なくとも１つの機能が割り当てられた任意のボタンであってもよい。
【０１０２】
また、上記実施形態では、ガイダンスが表示される場合を示したが、接触検知操作部材に割り当てられた機能の情報である限り、その他の情報、例えば機能についての仕様等であってもよい。また、その際、表示形態もアイコンに限らず、テキスト等であってもよい。
【０１０３】
また、接触検知操作部材が接触を検知する方式として圧力検知を採用したものとして説明したが、これに限られるものではない。操作部材に触れたと判定できるものであれば、光学式や静電気式等、どんな検知の方式でもよい。
【０１０４】
また、上記実施形態では、撮像装置として、コンパクトタイプのデジタルカメラを例に説明したが、本発明は、デジタルビデオカメラ、デジタルＳＬＲ（一眼レフカメラ）等にも適用可能である。
【０１０５】
また、上記実施形態では、画像再生装置として、撮像装置に適用された場合を示したが、その他、画像の再生のみが可能な再生装置に適用されてもよいことは勿論である。
【０１０６】
また、表示装置としては、液晶ディスプレイに限らず、有機ＥＬディスプレイ、表面電界ディスプレイ（ＳＥＤ）、プラズマディスプレイなどを用いてもよい。
【０１０７】
また、表示手段として、バックライト方式のＬＣＤパネルを用いているが、有機ＥＬディスプレイなどの自発光型の表示手段を用いてもよい。
【０１０８】
また、本発明の目的は、以下の処理を実行することによって達成される。即ち、上述した実施形態の機能を実現するソフトウェアのプログラムコードを記録した記憶媒体を、システムあるいは装置に供給し、そのシステムあるいは装置のコンピュータ（ＣＰＵやＭＰＵ）が記憶媒体に格納されたプログラムコードを読み出す処理である。
【０１０９】
この場合、記憶媒体から読み出されたプログラムコード自体が前述した実施の形態の機能を実現することになり、そのプログラムコード及び該プログラムコードを記憶した記憶媒体は本発明を構成することになる。
【０１１０】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１１１】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１１２】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【符号の説明】
【０１１３】
２８  画像表示部
５０  システム制御回路
７０  操作部
７３  方向ボタン（十字ボタン）
１００  撮像装置（デジタルカメラ）
【図１】
2010187200.tif 000003
【図２】
2010187200.tif 000004
【図３】
2010187200.tif 000005
【図４】
2010187200.tif 000006
【図５】
2010187200.tif 000007
【図６】
2010187200.tif 000008
【図７】
2010187200.tif 000009
【図８】
2010187200.tif 000010
【図９】
2010187200.tif 000011
【図１０】
2010187200.tif 000012